(57)【要約】      （修正有）【課題】使用現場で組立てられる災害対策用，パーティーやイベント会場，アウトドア用の食器に適したシート状の組立式容器。【解決手段】容器の底部１ａ及び周壁部となる所定形状の容器シート１に、多角形又は円形の底部１ａと、該底部１ａの外周から放射状に入れた切取用の切目１ｂにより形成される折り曲げ起伏可能な３枚以上のリーフ１ｃとを設け、隣接し合うリーフ１ｃの外周端側に起立状態で外向きに傾斜させて互いに着脱可能に固定して連結し合う固着部４を設け、該固着部４を固定した状態で容器シート１が皿状又は椀状の容器に組立形成される。リーフ１ｃの一部又は全部は扇形に形成され、各リーフ１ｃの先端側の隣接するリーフ同士の重なり合う部分に設けた少なくとも一方の側の固着部４ｂを周方向にずらして固着することが可能な調節可能なタイプの固着部４とし、上記固着部４をずらして固着することにより容器３の外径及び深さを調節できる。【選択図】図１
2018197117.tif 000002
【特許請求の範囲】
【請求項１】
容器の底部（１ａ）及び周壁部となる所定形状の容器シート（１）に、多角形又は円形の底部（１ａ）と、該底部（１ａ）の外周から放射状に入れた切取用の切目（１ｂ）により形成される折り曲げ起伏可能な３枚以上のリーフ（１ｃ）とを設け、隣接し合うリーフ（１ｃ）の外周端側に起立状態で外向きに傾斜させて互いに着脱可能に固定して連結し合う固着部（４）を設け、該固着部（４）を固定した状態で容器シート（１）が皿状又は椀状の容器（３）に組立形成される組立式容器。
【請求項２】
リーフ（１ｃ）の一部又は全部が扇形に形成され隣接し合うリーフ（１ｃ）の隣接端同士が順次重なり合った状態で固着されて組立形成される組立式容器。
【請求項３】
各リーフ（１ｃ）の先端側の隣接するリーフ同士の重なり合う部分に設けた少なくとも一方の側の固着部（４ｂ）を周方向にずらして固着することが可能な調節可能なタイプの固着部（４）とし、上記固着部（４）をずらして固着することにより容器（３）の外径及び深さを調節できる構造とした請求項１又は２に記載の組立式容器。
【請求項４】
組立てられた容器（３）の周壁部外周に沿ってリング状に湾曲又は屈曲される帯状の高台部（２ａ）と、該高台部（２ａ）より周壁部の外周に沿って逆Ｔ字状に且つ上向きに突出し、先端側を上記容器の周壁部の外周に着脱可能に取付固定する取付部（２ｂ）とを備えた高台シート（２）を設けた請求項１〜３のいずれかに記載の組立式容器。
【請求項５】
取付部（２ｂ）の先端側と周壁部の外周に互いに係脱可能に係合し合うファスナー部（７）を設け、上記ファスナー部（７）を係合固定することにより高台シート（２）を容器側に取付ける請求項４に記載の組立式容器。
【請求項６】
容器（３）の内部と周壁に薄手の耐水性フィルムよりなるラップ（８）を被せ、上記取付部（２ａ）と周壁部のファスナー部（７）を互いに係合固定する際に、上記ラップ（８）の外周縁をファスナー部（７）により挟持して固定する請求項５に記載の組立式容器。
【請求項７】
容器シート（１）と高台シート（２）とを一定の剛性と弾力性を備えた単一のベースシート（１１）上に人手による切離しが可能な切取り用の切目（１１ａ）を入れて成形し、使用時に容器シート（１）と高台シート（２）を切離すことが可能に構成した請求項４〜６のいずれかに記載の組立式容器。
【請求項８】
先端にフォーク又はスプーンの掬い取り部（９ａ）を設け、該掬い取り部（９ａ）の基端部側に帯状の柄部（９ｂ）を連設したフォークとスプーンのシート（９）のいずれか一方又は両方を切取り用の切目（１１ａ）を入れてプラスチック製のベースシート（１１）上に容器シート（１）及び高台シート（２）と共に一体的に形成した請求項７に記載の組立式容器。
【発明の詳細な説明】
【技術分野】
【０００１】
この発明は、例えば震災や風水害の被災地での炊き出し、パーティー会場、アウトドアイベントその他の各種イベント等における主として食器や盛付容器であって、会場での使用に際して容易に組立使用できる組立式容器に関する。
【背景技術】
【０００２】
従来、屋内，屋外のイベント用又はアウトドア用若しくはパーティー会場等で簡単に調達できる組立式の食器類として防水加工したボール紙やプラスチック製シートを所定形状に切り抜いて形成する組立式又は折畳み式の容器が特許文献１，２，３に示すように公知である。
【先行技術文献】
【特許文献】
【０００３】
【特許文献１】特開２００４−２３７０４４号公報
【特許文献２】特開２００５−９６８５８号公報
【特許文献３】特開２００６−８９１２４号公報
【発明の概要】
【発明が解決しようとする課題】
【０００４】
しかし上記特許文献１のトレーは袋菓子の落下防止用に袋自体を挿入して支えるための単純な筒状の枠体であって、それ自体は食器としては使用できない。
【０００５】
特許文献２のコップは薄板状シートを袋状に成形してスタンド部材を折畳み状態で予め接着しておき、使用時袋状の本体を開口させるとともにスタンド部材を開いてスタンド可能なカップとして使用するもので、食品の盛付け用のトレーや椀状の食器としては使用できない。またこのカップは予め接着作業や組付作業を必要とするので、コスト高にもなる。
【０００６】
特許文献３のものは正方形の板紙の外周に短冊状の折込片を同一方向に切残し成形し、各折込片の先端を次の折込片の基端部側の切目部分に差込んで菓子皿を組立てるものであり、皿としての形状維持も不安定で、調理食品の盛付け用の皿や椀としての使用はできない。
【０００７】
またいずれの特許文献の容器も、それぞれの板状切抜片の外径や寸法が決まっているために、容器の外径や深さも決められ、収容する食品や盛付け対象も限られていて汎用性も乏しく、調理食品の盛付け用の皿や椀としては使用できない。
【０００８】
その他、それぞれの組立用切抜片は在庫や搬送に際しては個別に取扱うか、まとめるために袋詰め等でパッケージする必要がある等の欠点がある。
【課題を解決するための手段】
【０００９】
上記課題を解決するための本発明の容器は、第１に容器の底部１ａ及び周壁部となる所定形状の容器シート１に、多角形又は円形の底部１ａと、該底部１ａの外周から放射状に入れた切取用の切目１ｂにより形成される折り曲げ起伏可能な３枚以上のリーフ１ｃとを設け、隣接し合うリーフ１ｃの外周端側に起立状態で外向きに傾斜させて互いに着脱可能に固定して連結し合う固着部４を設け、該固着部４を固定した状態で容器シート１が皿状又は椀状の容器３に組立形成されることを特徴としている。
【００１０】
第２に、リーフ１ｃの一部又は全部が扇形に形成され隣接し合うリーフ１ｃの隣接端同士が順次重なり合った状態で固着されて組立形成されることを特徴としている。
【００１１】
第３に、各リーフ１ｃの先端側の隣接するリーフ同士の重なり合う部分に設けた少なくとも一方の側の固着部４ｂを周方向にずらして固着することが可能な調節可能なタイプの固着部４とし、上記固着部４をずらして固着することにより容器３の外径及び深さを調節できる構造としたことを特徴としている。
【００１２】
第４に、組立てられた容器３の周壁部外周に沿ってリング状に湾曲又は屈曲される帯状の高台部２ａと、該高台部２ａより周壁部の外周に沿って逆Ｔ字状に且つ上向きに突出し、先端側を上記容器の周壁部の外周に着脱可能に取付固定する取付部２ｂとを備えた高台シート２を設けたことを特徴としている。
【００１３】
第５に、取付部２ｂの先端側と周壁部の外周に互いに係脱可能に係合し合うファスナー部７を設け、上記ファスナー部７を係合固定することにより高台シート２を容器側に取付けることを特徴としている。
【００１４】
第６に、容器３の内部と周壁に薄手の耐水性フィルムよりなるラップ８を被せ、上記取付部２ａと周壁部のファスナー部７を互いに係合固定する際に、上記ラップ８の外周縁をファスナー部７により挟持して固定することを特徴としている。
【００１５】
第７に、容器シート１と高台シート２とを一定の剛性と弾力性を備えた単一のベースシート１１上に人手による切離しが可能な切取り用の切目１１ａを入れて成形し、使用時に容器シート１と高台シート２を切離すことが可能に構成したことを特徴としている。
【００１６】
第８に、先端にフォーク又はスプーンの掬い取り部９ａを設け、該掬い取り部９ａの基端部側に帯状の柄部９ｂを連設したフォークとスプーンのシート９のいずれか一方又は両方を切取り用の切目１１ａを入れてプラスチック製のベースシート１１上に容器シート１及び高台シート２と共に一体的に形成したことを特徴としている。
【発明の効果】
【００１７】
以上のように構成される本発明の容器は以下のような効果を奏する。
（１）底部に連設されたリーフを起立方向に傾斜させて相互に連結固定するので、容器としての形が強固に維持され、収容する食材の種類や収容量の点で汎用性が広く、皿又は椀型の食器としても広く使用でき、シート材としてプラスチックシートを用いることにより繰り返し使用も可能となり、固着部にホック（スナップ）等を用いる場合以外は、すべてプレス加工で成形できるので低コストである。特に、地震その他の被災地、パーティーや屋外の各種イベント会場等の炊き出しや食事提供等にも簡易迅速な調達や使用ができる。
【００１８】
（２）またリーフを扇形にすることにより摺り鉢型の容器にでき、隣接リーフの重なり部分をずらして調節固着することにより、器の外径や深さの調節が可能で食品等の盛付けや収納の用途や分量に応じて対応できる利点がある。
【００１９】
（３）高台シートを組立状態の容器に取付けることにより、高台が形成され、食器として用いる場合の取扱い上の安定性が高まり、高台シートの取付けにスナップ型のファスナー等を用いることによって、容器内を覆うラップの固着が可能となり、汁物等の食材を収容することもできる利点がある。
【００２０】
（４）容器シートと高台シート、さらにはフォークやスプーンを１枚のシート内に切抜き可能に納めることにより、保管や搬送等の取扱いも容易で、イベント会場やアウトドア用の食器、災害対策用食器としての取扱いにもスペースを取らず、現場での切取りや組立も行い易く、フォークやスプーン等を設けることにより現場や会場での用意が不要となる。
【図面の簡単な説明】
【００２１】
【図１】本発明を構成する容器シートの外表面側から見た展開図である。
【図２】本発明を構成する高台シートの展開図である。
【図３】容器シートと高台シートを組付けた容器の正面図である。
【図４】プレート状のスプーンを使用可能に折畳み成形した斜視図である。
【図５】容器シート，高台シート，折畳み式のスプーンを単一のシート内に切残し成形した場合の平面図である。
【発明を実施するための形態】
【００２２】
図１〜図３は本発明の組立式容器の２つの構成部材の展開図と組立図を示し、図１，図２に示す容器シート１と高台シート２は耐水性，耐熱性に優れ一定の弾力性も備えた、例えばＰＰ（ポリプロピレン）製で板厚０．７５ｍｍ程度の樹脂シートからなり、容器シート１は図１に示すように全体として直径２００ｍｍ程度の円形のシートとなっている。
【００２３】
容器シート１はその中心部に直径５０ｍｍ程度の円形又は正多角形（本例では正八角形）の底部１ａと、該正八角形の頂点を内端として放射状に直線の切目１ｂを入れ、８個の扇形のリーフ１ｃが底部１ａに連設されて起立方向又は倒伏（展開）方向に折り曲げ可能に設けられている。１ｄは上記八角形の各頂点（切目１ｂの内端）位置に穿設された切止め孔である。
【００２４】
各扇形の各リーフ１ｃは、図３に示すように内側に向って起立させるように折り曲げることによって、両側の隣接端が鋭角な扇形（又は二等辺三角形形）に順次重なり合って全体として底部周縁部コーナー断面が円弧状断面の摺り鉢形の容器３を形成するが、この重なり面積の大小は組立形成される容器３の外径と深さの大小に対応しており、重なり面積が大きい程、容器３の外径は小さく深さが深くなる関係にある。図示する例では容器３の外径及び深さを調節する手段固着部４として以下に述べるようなメカニズムを採用している。
【００２５】
即ち、隣接し合う各リーフ１ｃの一方のリーフの容器内面側端部に突出する雄形（凸形）のホック（スナップ）４ａが少なくとも１個取付けられ、他方のリーフ１ｃ外端の容器外面側には、該雄形のホック４ａに係脱する雌形（凹形）のホック４ｂが左右間隔を有して複数個（本例では２個）取付けられてファスナー部（固着部４）を構成している。
【００２６】
したがって複数個の雌形ホック４ｂの近い方を選んで雄形ホック４ａを係合すると狭い重なり面積で容器３の外径は大きく深さは浅くなり、周壁の傾斜角も大きくなる。これに対し、雄形ホック部４ａより遠い方の雌形ホック４ｂを選んで係合させると、周壁はより大きい傾斜角となり外径は小さくなり深さは深くなる。
【００２７】
隣接するリーフ１ｃ同士を連結し合う固着部４は、上記のようなファスナー部のほか、互いに係脱できる面ファスナー又は一方のリーフ１ｃに鈎形のフックを、隣接する他方のリーフ３ｅにフックの係止孔を複数個並べて選択係止可能に設けてもよい（いずれも図示しない）。その他固着部として重なり合両面又は片面に、固着位置の移動調節及び着脱が可能な不乾糊等を付着させておくことも可能であり、面ファスナー，不乾糊を用いた場合はその左右幅の範囲でフリーサイズになる。またシート材として表面を防水加工した板紙を用いることも可能である。
【００２８】
次に図２，図３に基いて高台シート２の構造と使用方法について説明すると、図２に示す高台シート２は図３に示すように摺り鉢状に組立てられた容器３の下端にリング状にして装着するもので、リング状にセットされる横方向に帯状の高台部２ａと、該高台部２ａの上側端側に逆Ｔ字状に等間隔で上向きに複数個（本例では４個）突出する短冊状の取付部２ｂとで構成される。
【００２９】
高台部２ａは、その両端で重なり合ってリング状に連結され、上記重なり合う両面にはプラスチック製のホック（スナップ）からなるファスナー部６が固着部として設けられ、ファスナー部６は前記図１に示す場合と同様に互いに係脱し合う雄形ホック６ａと雌形ホック６ｂとで構成される。そしてこの高台２ａは上記ファスナー部６によって着脱自在に連結されて容器３の下端側外周に沿って外装され、容器３の高台として取付けられる。
【００３０】
高台部２ａが容器３の下端に装着された状態で取付部２ｂが届く容器３の外周位置と取付部２ｂの上端部の重なり合面間には、前記同様に互いに係脱し合う雄形ホック７ａと雌形ホック７ｂとからなるファスナー部７により固着部が設けられ、この固着部を図３に示すように固定することにより、高台付の容器３が組立て構成される。上記固着部（ファスナー部）６，７は前述した例のように、面ファスナー，不乾糊等を用いてもよい。
【００３１】
容器３と高台シート２との固着部としてホックを用いた本実施例では、図３に示すように容器３の内面にプラスチック製フィルムよりなるラップ８を上側から被せて覆い、容器３内に汁物や水分を含む調理食品等を収容しても液洩れが生じない食器として利用できる構成になっている。そして上記容器３の外周から下側に垂れ下がるラップ８の外周縁は、前記雄形ホック７ａと雌形ホック７ｂとの間に介挿挟持されて、ホック７の固着とともに固定され、容器３に対してラップ８が取付け固定される。
【００３２】
図５は前述した容器シート１と高台シート２及び後述するフォークシート９とを単一のベースシート１１内に切取り可能に形成した例を示し、この時各シート１，２，９，１１の外形線は、いずれも後に人手により切離し又は掻き取りが可能な切目１１ａによって形成されている。固着部４，６，７等はベースシート１１より各シート１，２，９等が切離される前の段階で設けられている。
【００３３】
フォークシート９は図４，図５に示すように先端に食品を掻き取り又は掬い取るための歯（また）付の掬い取り部９ａと、掬い取り部９ａの基端部側に帯状の柄部９ｂを連設したシートからなり、柄部９ｂの中央には長手方向の折目９ｃが、また掬い取り部９ａには折目９ｃの先端から広がるＶ字形（全体としてＹ字形）の折目９ｄが形成され、それぞれの折目９ｃ，９ｄを谷形に折り曲げることにより、図４に示すように立体的で構造的にも剛性の高いフォークとなる。同様な方法でフォークに代えまたはフォークと共にスプーン（スプーンシート・・・図示しない）を形取って付設することも可能である。
【００３４】
尚、図５におけるベースシート１１の上端コーナーは、現場での切離し労力を省くために、製造段階で予め容器シート１の外形に沿って円弧状に切り取ったものであり、仮想線で示すようにこのコーナーは荷造りの都合等のためにそのまま残しておいてもよい。
【符号の説明】
【００３５】
１      容器シート
１ａ    底部
１ｂ    切目
１ｃ    リーフ
２      高台シート
２ａ    高台部
２ｂ    取付部
３      容器
４，（４ａ，４ｂ）      固着部
６，（６ａ，６ｂ）      固着部
７，（７ａ，７ｂ）      ファスナー部
８      ラップ
９      フォークシート
９ａ    掬い取り部
９ｂ    柄部
１１      ベースシート
１１ａ    切目
【図１】
2018197117.tif 000003
【図２】
2018197117.tif 000004
【図３】
2018197117.tif 000005
【図４】
2018197117.tif 000006
【図５】
2018197117.tif 000007